(57)【要約】【課題】  １つの供給ポンプから複数個の液体供給弁へバランス良く液体を定量供給可能な液体供給装置を提供する。【解決手段】  供給ポンプ４によって供給される凝固剤混合豆乳を複数本に分岐した配管６、７を経由して複数個の充填弁２０から複数個のパックに定量ずつ供給する豆乳充填装置である。充填弁２０はニードルバルブ２１と、同弁を開閉するエアシリンダ２３を有し、同エアシリンダ２３が、各充填弁２０の弁開度を調整するようそのピストン２４のストロークを規制する調節ボルト２７を有している。調節ボルト２７は、ピストン２４に取り付けられた弁開度調節バー２６と当接して弁開度を調整する。こうして、各供給弁の弁開度を、個々に調節することにより、各供給弁からは常に定量性良く液体を供給することが出来る。  【選択図】      図１
2005225531.tif 000002
【特許請求の範囲】
【請求項１】
ポンプによって供給される液体を複数本に分岐した配管を経由して複数個の供給弁から定量ずつ供給する液体供給装置であって、前記供給弁の各々は、弁を開閉する弁開閉装置を有し、同弁開閉装置は、前記各弁の弁開度を調整する弁開度調整機構を有することを特徴とする液体供給装置。
【請求項２】
前記弁開閉装置がエアシリンダであって、前記弁開度調整機構が、前記エアシリンダのストロークを規制する構成をもつことを特徴とする請求項１に記載の液体供給装置。
【請求項３】
前記供給弁がニードルバルブであることを特徴とする請求項２に記載の液体供給装置。
【請求項４】
前記弁開度調整機構が前記エアシリンダのピストンのストロークを調節する調節ボルトであることを特徴とする請求項２又は３に記載の液体供給装置。
【発明の詳細な説明】
【技術分野】
【０００１】
本発明は、ポンプによって供給される液体を、複数本に分岐した配管を経由して、複数個の供給弁から複数個の容器などに定量ずつ供給する液体供給装置に関する。
【背景技術】
【０００２】
液体を各種の容器に充填するなどの目的で定量ずつ供給する供給装置においては、供給量の精度を上げるために各供給弁に対してそれぞれ定量ポンプを接続した構成とするのが一般的であった。従って、複数個の供給弁から複数個の容器などに対して１度に液体を供給するように構成された装置では、その供給弁の数だけの定量ポンプを設置することが必要となるので、供給装置のコストが嵩むという問題があった。
【０００３】
また、一台の定量ポンプから供給される液体を、均等に分岐した配管によって複数の供給弁に供給することによって、各供給弁から均等量の液体を供給するように構成することも行われるが、各供給系統における配管の流通抵抗を全く等しくするということは実質的に不可能であり、また、供給経路における液体の流通抵抗は経時的に変化するので、流通抵抗を等しく造った供給経路であっても経時的に定量供給性のバランスが崩れ、定量供給が出来なくなることも多かった。
特に、供給される液体が密度の高いものである場合、供給弁までの供給経路における流通抵抗に変化を生じて定量供給性が崩れ易いという問題があった。
【発明の開示】
【発明が解決しようとする課題】
【０００４】
本発明は、ポンプによって供給される液体を複数本に分岐した配管を経由して複数個の供給弁から複数個の容器などに定量ずつ供給する液体供給装置において、少ないポンプによって複数個の供給弁から定量性よく液体を送り込めるようにした液体供給装置を提供することを課題としている。
【課題を解決するための手段】
【０００５】
本発明は、ポンプによって供給される液体を複数本に分岐した配管を経由して複数個の供給弁から定量ずつ供給する液体供給装置における前記課題を解決するため、前記供給弁の各々が、弁を開閉する弁開閉装置を有し、同弁開閉装置が、前記各弁の弁開度を調整する弁開度調整機構を有する構成とした液体供給装置を提供する。
【０００６】
本発明による液体供給装置においては、前記弁開閉装置がエアシリンダであって、前記弁開度調整機構が、前記エアシリンダのストロークを規制する構成をもつものとすることができる。
また、前記前記供給弁としては、ニードルバルブを採用することができる。
更にまた、前記弁開度調整機構としては、前記エアシリンダのピストンのストロークを調節する調節ボルトとすることができる。
【発明の効果】
【０００７】
上記した構成をもつ本発明の液体供給装置によると、供給弁を開閉する弁開閉装置が弁開度調整機構を有しているので、各供給弁における弁開度調整機構により、ポンプから各供給弁までの液供給流路における流通抵抗に応じて、各供給弁の開度を個々に調節することにより、弁開閉装置が各供給弁を開いたときの開度が、供給量を均一とする大きさとされ、各供給弁からは常に定量性良く液体を供給することが出来る。
【０００８】
本発明の液体供給装置では、ポンプからの配管が複数本に分岐されて各供給弁に至る配管の経路の長さなどの差によって各供給弁に至る供給経路の流通抵抗に差があっても、各供給経路の流通抵抗に応じてその弁開度調整機構により各供給弁の弁開度を個々に調節して設定することによって、各供給弁が開かれたときに各供給弁からは常に定量性良く液体を供給することが出来、また、経時変化によって各供給配管における流通抵抗に変化が生じても、その都度、その弁開度調整機構によって供給弁の開きを調節することによって定量性を容易に維持することができる。
【０００９】
本発明による液体供給装置における弁開閉装置としてエアシリンダを採用するとともに、その弁開度調整機構として同エアシリンダのストロークを規制する構成をもつものにして簡単な構造とすることができる。
また、供給弁としては、ニードルバルブを採用し、その弁開閉装置がそのニードルバルブを弁座に向けて開閉させる構成として、各供給弁からの供給量を容易に調整できるものとすることができる。
更にまた、本発明による液体供給装置では、前記弁開度調整機構を、前記エアシリンダのピストンのストロークを調節する調節ボルトとすることによって、簡単な構造で容易に弁開度の調整を行うことができるものとなる。
【発明を実施するための最良の形態】
【００１０】
以下、本発明を液体充填装置に適用した例について、図示した実施形態に基づいて具体的に説明する。なお、以下の実施形態は、パック充填豆腐を製造するため、１台のポンプによって供給される凝固剤混合豆乳を、複数個のパックに対して供給弁としての複数個の充填弁から定量ずつ充填する豆乳充填装置に本発明を適用したものである。
【００１１】
図１は、充填容器としての複数個（図では４個）のパック（図示していない）の各々へ定量ずつの凝固剤混合豆乳を１台の豆乳供給ポンプから供給する凝固剤混合豆乳充填装置１を示している。凝固剤混合豆乳充填装置１において、２はバッファタンクで、このバッファタンク２には豆乳供給管３から凝固剤混合豆乳が供給される。
【００１２】
４は、豆乳供給ポンプで、バッファタンク２内の凝固剤混合豆乳を後記する充填弁へと供給する。豆乳供給ポンプ４は、各充填弁から定量供給するのに必要な合計量の豆乳を１度に供給する。
５は豆乳供給管を構成する配管で、配管５は２本の配管６、６に分岐され、各配管６、６はそれぞれ２本の配管７、７に分岐されている。
こうして分岐された４本の配管７の各々の先には４個の充填弁２０が取付けられている。
８は遮断弁で、凝固剤混合豆乳を供給する配管５の流路を開閉する。
【００１３】
凝固剤混合豆乳が供給される配管５、６及び７の構成例を図３、図４に示してある。図３に示すものは、配管５を配管６と７によって２回、それぞれ２つに分岐して充填弁に連通して、１つの豆乳供給ポンプから４つの充填弁に凝固剤混合豆乳を供給して充填する構成としている。
一方、図４に示すものは、１つの豆乳供給ポンプからの配管５を、配管６、７−１及び７−２によって合計３回、それぞれ２つに分岐して２つの平面内で４個ずつ合計８つの充填弁に連通した構造にして、８つの充填弁に凝固剤混合豆乳を供給して８つのパックに充填する構成としたものである。
図３、図４は一例を示すもので、これ以外、適宜の分岐構造のものを採用してよいことはいうまでもない。
【００１４】
図１において、９はエア供給管であり、このエア供給管から供給されるエア圧によって遮断弁８と充填弁２０の開閉を行う。エア供給管９からのエアは、エア調節装置１０を介してソレノイドバルブ１４に供給されるように構成されている。
エア調節装置１０は、エアフィルタ１１、減圧弁（レギュレータ）１２、及び圧力計１３から構成されていて、エア供給管９から供給されたエアを所定圧にしてソレノイドバルブ１４に供給する。
【００１５】
ソレノイドバルブ１４は、エア調節装置１０から供給されたエアを、４個の充填弁２０及び遮断弁８へ供給し、これらの充填弁２０及び遮断弁８を開閉する。遮断弁８が開かれることによって供給される凝固剤混合豆乳は、各充填弁２０の開放によって豆腐を生成させるパック（図示していない）へ供給されて充填される。
【００１６】
次に、充填弁２０の構造について図２を用いて説明する。
図２において、２１は充填弁２０を構成するニ−ドルバルブで、下方の弁座２２に着座されると豆乳の供給を遮断し、上昇されて弁座２２から離れると豆乳供給路が開放されてニ−ドルバルブ２１と弁座２２の離間距離に応じた量の豆乳が下方のパック（図示していない）に供給され充填される。
【００１７】
２３は、弁開閉装置としてのエアシリンダで、図２（ｂ）の略図に示すように、エアシリンダ２３は内部にピストン２４を有している。そのピストン２４には、ニ−ドルバルブ２１につながる弁棒２５が下方に、弁開度調節バー２６が上方に取り付けられている。
ソレノイドバルブ１４から供給されるエア圧によってピストン２４が上方へ変位されると、弁棒２５を介してニ−ドルバルブ２１が上昇されて充填弁２０を開放させる。
弁開度調節バー２６の上端には調節ボルト２７の下端が当接されるようになっていて、調節ボルト２７の上下位置によってピストン２４の上昇ストロークを規制し、ソレノイドバルブ１４から供給されるエア圧がニ−ドルバルブ２１を持ち上げるストロークを規定する。
【００１８】
調節ボルト２７は、回転させて下端の上下位置を変化させることによって弁開度調節バー２６への当接位置を調節でき、前記したようにニ−ドルバルブ２１を弁座２２から上昇させるストロークを、この調節ボルト２７を回転して調節することができる。この調節ボルト２７と弁開度調節バー２６が弁開度調整機構を構成している。
【００１９】
このように、ソレノイドバルブ１４から供給されるエア圧がニ−ドルバルブ２１を上昇させるストロークを、調節ボルト２７によって調節できる。従って、各充填弁２０に凝固剤混合豆乳を導く配管６、７の流動抵抗が各配管の長さや曲げ具合によって違っていても、各充填弁２０の調節ボルト２７の回転によって充填弁２０の開ストロークを変えて調整し、各充填弁２０から、それぞれ等しい量の凝固剤混合豆乳をパックに充填することができる。
【００２０】
以上のとおり、調節ボルト２７の回転調整によって各充填弁２０からは等しい量の凝固剤混合豆乳をパックに充填することができるので、豆乳供給ポンプ４としては、４つの充填弁２０から充填される合計量の凝固剤混合豆乳を供給するもの１台だけでよいことになる。
【００２１】
以上、本発明を図示した実施の形態について説明したが、本発明の液体供給装置はこの実施の形態に限定されるものではない。
例えば、上記実施形態では、供給弁としてニ−ドルバルブからなる充填弁を採用しているが、本出願の発明で採用する供給弁としてはこれに限らず、適宜の供給弁を採用してよい。
【００２２】
また、上記実施形態では供給弁を作動させるのに、ソレノイドバルブを介して供給されるエアを用いているが、供給弁を電磁弁で構成し、供給される電流によって作動されるものとすることもできる。
【産業上の利用可能性】
【００２３】
上記した実施の形態では、パックに凝固剤混合豆乳を充填する豆乳充填装置に本発明を適用した場合について説明しているが、本発明は凝固剤混合豆乳を充填する豆乳充填装置に限らず、ポンプによって供給される液体を、複数本に分岐した配管を経由して、複数個の供給弁から複数個の容器などに定量ずつ供給するようにした種々の液体供給装置に適用することができる。
【図面の簡単な説明】
【００２４】
【図１】本発明の実施の形態による凝固剤混合豆乳充填装置を示す系統図。
【図２】図１に示した凝固剤混合豆乳充填装置において採用されている充填弁を示し、（ａ）は２つの充填弁の配置を示す縦断面図、（ｂ）は（ａ）図におけるエアシリンダの構成を示す説明図。
【図３】豆乳供給ポンプから充填弁まで凝固剤混合豆乳を供給する配管系統の例を示す図面で（ａ）は上面図、（ｂ）は側面図。
【図４】豆乳供給ポンプから充填弁まで凝固剤混合豆乳を供給する配管系統の他の例を示す側面図。
【符号の説明】
【００２５】
１      凝固剤混合豆乳充填装置
２      バッファタンク
３      豆乳供給管
４      豆乳供給ポンプ
５      配管
６      配管
７      配管
８      遮断弁
９      エア供給管
１０    エア調節装置
１１    エアフィルタ
１２    減圧弁（レギュレータ）
１３    圧力計
１４    ソレノイドバルブ
２０    充填弁
２１    ニ−ドルバルブ
２２    弁座
２３    エアシリンダ
２４    ピストン
２５    弁棒
２６    弁開度調節バー
２７    調節ボルト
【図１】
2005225531.tif 000003
【図２】
2005225531.tif 000004
【図３】
2005225531.tif 000005
【図４】
2005225531.tif 000006